(57)【要約】
【課題】本考案は、大空間内を複数の小空間からなる室等に仕切る可動の仕切体に適用して好適な遮音構造を提供する。
【解決手段】本考案の遮音構造は、一つの屋内空間を複数に仕切る可動の仕切体１と、該仕切体１の端縁部を受け入れる仕切体受枠部１０との間の隙間に設けられる遮音構造であって、前記隙間の部分に対応する領域において、前記仕切体１、仕切体受枠部１０のいずれか一方に発泡材を覆い膨出状態で固定したゴムシール押さえからなる隙間遮音部材３０と、前記仕切体１、仕切体受枠部１０のうちの他方において前記ゴムシール押さえの外面側が密着する部分に塗布した二硫化モリブデン４０とからなり、前記ゴムシール押さえの外面側を前記二硫化モリブデン塗布部分に密着させることで前記隙間の部分全体の遮音を行うものである。
【選択図】図１
0003100593.tif 000002
【実用新案登録請求の範囲】
【請求項１】
　一つの屋内空間を複数に仕切る可動の仕切体と、該仕切体の端縁部を受け入れる仕切体受枠部との間の隙間に設けられる遮音構造であって、
　前記隙間の部分において、前記仕切体、仕切体受枠部のいずれか一方に、発泡材を覆い膨出状態で固定したゴムシール押さえからなる隙間遮音部材を設け、前記ゴムシール押さえの外面側を前記仕切体、仕切体受枠部のうちの他方に密着させることで前記隙間の部分全体の遮音を行うことを特徴とする遮音構造。
【請求項２】
　一つの屋内空間を複数に仕切る可動の仕切体と、該仕切体の端縁部を受け入れる仕切体受枠部との間の隙間に設けられる遮音構造であって、
　前記隙間の部分に対応する領域において、前記仕切体、仕切体受枠部のいずれか一方に発泡材を覆い膨出状態で固定したゴムシール押さえからなる隙間遮音部材と、
　前記仕切体、仕切体受枠部のうちの他方において前記ゴムシール押さえの外面側が密着する部分に塗布した二硫化モリブデンと、
　からなり、
　前記ゴムシール押さえの外面側を前記二硫化モリブデン塗布部分に密着させることで前記隙間の部分全体の遮音を行うことを特徴とする遮音構造。
【請求項３】
　前記隙間遮音部材の配置、二硫化モリブデンの塗布位置は、仕切体と、該仕切体の端縁部を受け入れる仕切体受枠部との間の隙間において２段構造となっていることを特徴とする請求項１又は２記載の遮音構造。
【請求項４】
　前記隙間遮音部材は、接合した２枚の板状のゴムシール押さえにより棒状の発泡材を長さ方向に沿って覆い、接合した２枚の内の一方のゴムシール押さえを外面が孤を描く状態に膨出させてなるものである請求項１乃至３のいずれかに記載の遮音構造。
【考案の詳細な説明】
【技術分野】
【０００１】
　本考案は、遮音構造に関し、詳しくは、例えば大きな建物の内部を複数の室等に区画する仕切体に適用して好適な遮音構造に関するものである。
【背景技術】
【０００２】
　従来、大きな建物の内部を複数の室等に区画するために可動の仕切体が必要とされる場合として、例えば、コンサートホールのような使用回数が限定される大空間を一時的に複数の小空間に仕切り、各小空間を個別的に有効利用する場合を挙げることができる。
　このような大空間用の仕切体は、大面積のものが必要とされるだけでなく、複数の小空間相互間の遮音を的確に行うことが要請される。
【０００３】
　しかし、コンサートホールのような大空間を可動の仕切体により複数の小空間に仕切る場合、小空間相互間の遮音を的確に行うための遮音構造の実現は容易ではない。
　例えば、従来の遮音構造として、防音構造とした仕切体と、建物の壁等に設けられる仕切体受枠部との間の隙間に弾性ゴム材又はゴムチューブ等からなる遮音材を貼り巡らせ遮音を図る例がある。
【０００４】
　ここで、遮音材を貼り巡らせる隙間の長さが数十ｍというように極めて大きいため遮音材のコストが高くなり過ぎるとともに、隙間精度は一様ではなく±５ｍｍ程度の誤差を伴う事が多く、この結果、隙間を埋める遮音材として伸縮率の大きいものが必要とされること、遮音材の伸縮率が適切でない場合には隙間を完全に埋めきれず、音漏れが生じて遮音性能の著しい低下を招くこと等の問題を包含している。
【０００５】
　従来の他の遮音構造として、発泡材を用いる例もあるが、仕切体に対して滑りがなく変形してしまい気密性が欠如して遮音性能の低下を招いたり、長期間仕切体を締めていた場合等には、発泡材の一部が破れ仕切体に付着して、やはり遮音性能の低下を招くという問題があった。
【０００６】
　また、従来の更に他の仕切体構造、遮音構造として、特許文献１のような構造もあるが、設置の煩雑性とその遮音効果が満足の行くものではないという問題がある。
【特許文献１】特開平０８−０９３０９５号公報
【考案の開示】
【考案が解決しようとする課題】
【０００７】
　そこで、本考案は、上記従来の事情に鑑みて開発されたものであり、大空間内を複数の小空間からなる室等に仕切る可動の仕切体に適用して好適な遮音構造を提供することを目的とするものである。
【課題を解決するための手段】
【０００８】
　請求項１記載の考案の遮音構造は、一つの屋内空間を複数に仕切る可動の仕切体と、該仕切体の端縁部を受け入れる仕切体受枠部との間の隙間に設けられる遮音構造であって、前記隙間の部分において、前記仕切体、仕切体受枠部のいずれか一方に、発泡材を覆い膨出状態で固定したゴムシール押さえからなる隙間遮音部材を設け、前記ゴムシール押さえの外面側を前記仕切体、仕切体受枠部のうちの他方に密着させることで前記隙間の部分全体の遮音を行うことを特徴とするものである。
【０００９】
　請求項２記載の考案の遮音構造は、一つの屋内空間を複数に仕切る可動の仕切体と、該仕切体の端縁部を受け入れる仕切体受枠部との間の隙間に設けられる遮音構造であって、前記隙間の部分に対応する領域において、前記仕切体、仕切体受枠部のいずれか一方に発泡材を覆い膨出状態で固定したゴムシール押さえからなる隙間遮音部材と、前記仕切体、仕切体受枠部のうちの他方において前記ゴムシール押さえの外面側が密着する部分に塗布した二硫化モリブデンと、からなり、前記ゴムシール押さえの外面側を前記二硫化モリブデン塗布部分に密着させることで前記隙間の部分全体の遮音を行うことを特徴とするものである。
【００１０】
　請求項３記載の考案の遮音構造は、請求項１又は２記載の遮音構造において、前記隙間遮音部材の配置及び二硫化モリブデンの塗布位置は、仕切体と、該仕切体の端縁部を受け入れる仕切体受枠部との間の隙間において２段構造となっていることを特徴とするものである。
【００１１】
　請求項４記載の考案の遮音構造は、請求項１乃至３のいずれかに記載の遮音構造において、前記隙間遮音部材は、接合した２枚の板状のゴムシール押さえにより棒状の発泡材を長さ方向に沿って覆い、接合した２枚の内の一方のゴムシール押さえを外面が孤を描く状態に膨出させてなるものである。
【考案の効果】
【００１２】
　このような本考案によれば、前記仕切体受枠部における仕切体の端縁部と重合し隙間を形成する部分全体に亙って隙間遮音部材を取り付け巡らせておき、前記上下駆動部を動作させて、仕切体受枠部内に仕切体を上方から進入させてコンサートホール等のような一つの大室内空間を複数、例えば２つに仕切ることにより、隙間遮音部材の遮音作用によってこれら２つに仕切られた各空間（室）間の遮音を確実に行うことができる。これにより、２つに仕切られた各空間を個別の室として各々有効利用できる。
【００１３】
　また、仕切体の端縁部における前記隙間遮音部材と接触する部分全体に摩擦低減材又は圧着転移防止材として機能する二硫化モリブデンを塗布しておくことにより、仕切体による仕切り状態が長期間続いたとしても、二硫化モリブデンの作用で一方のゴムシール押さえの一部が仕切体側に圧着転移することがなく、長期間仕切りによる不都合が生じることはない。
【００１４】
　更に、前記隙間遮音部材における板状のゴムシール押さえの厚さを変えて遮音性能を調整したり、隙間の寸法に応じて板状のゴムシール押さえの厚さ変更する等の対応も可能である。
【００１５】
　また、前記発泡材の直径を変えることで、隙間遮音部材自体の仕切体に対する押圧力を変更し遮音性能を調整することもできる。
【００１６】
　更に、仕切体に二硫化モリブデンを塗布しておくことで、仕切体受枠部内に仕切体を進入させる際の摩擦が低減され、仕切体の変形や偏りを確実に防止できる。また、この隙間遮音部材は、現場加工にて容易に仕切体受枠部の所定の位置に取り付けることができ、低価格の遮音構造とすることができる。
【００１７】
　加えて、隙間遮音部材の配置及び二硫化モリブデンの塗布位置を２段構造とすることで、より遮音性能の向上を図ることができる。
【考案を実施するための最良の形態】
【００１８】
　本考案の遮音構造は、一つの屋内空間を複数に仕切る可動の仕切体と、該仕切体の端縁部を受け入れる仕切体受枠部との間の隙間に設けられる遮音構造であって、前記隙間の部分において、前記仕切体、仕切体受枠部のいずれか一方に、発泡材を覆い膨出状態で固定したゴムシール押さえからなる隙間遮音部材を設け、前記ゴムシール押さえの外面側を前記仕切体、仕切体受枠部のうちの他方に密着させることで前記隙間の部分全体の遮音を行うことをもって前記課題を解決するものである。
【実施例】
【００１９】
　以下に本考案の実施の形態について詳細に説明する。
　図１は本考案の実施の形態の仕切体１、仕切体受枠部１０を含む遮音構造を適用するコンサートホール等のような一つの大室内空間５１を有する建物５０を示す概略図であり、以下には一つの大室内空間５１を直方体状で、且つ、防音構造とした仕切体１により図２に示すような２つの室５１Ａ、５１Ｂに仕切る場合を例にして説明する。
　建物５０は、床５２、垂直壁５３、屋根５４、天井５５により大室内空間５１を形成するように概略構成され、この建物５０の例えば略中央部において図２に示すような全体として矩形状を呈する仕切体受枠部１０を垂直配置に設けている。
【００２０】
　前記仕切体受枠部１０の下辺１０ａは床５２に設けられ（図４参照）、仕切体１の受入口１０ｅを形成している。仕切体受枠部１０の上辺１０ｂの部分は、天井５５に埋め込まれ、仕切体受枠部１０の両側辺１０ｃ、１０ｄは各々建物５０における表側、裏側の各垂直壁５３に設けれている。
　また、各垂直壁５３には、垂直方向に凹溝５３ａ、５３ａが対向配置に形成されている。
【００２１】
　更に、仕切体１の両端面には、軸体４が水平方向に突設され、この軸体４によりローラ５を回転可能に軸支して、該ローラ５を前記凹溝５３ａ、５３ａ内に嵌装し、これにより、仕切体１は、前記仕切体受枠部１０に沿って、且つ、前記ローラ５を凹溝５３ａ、５３ａ内で回転させつつ仕切体受枠部１０の受入口１０ｅまで受け入れられ、更に下辺１０ａまで進入させるようになっている。
【００２２】
　また、前記仕切体１は、天井５５内に配置した上下駆動部６０により下降又は上昇駆動されるようになっている。
　すなわち、上下駆動部６０は、天井５５内に配置した駆動モータ６１と、吊り下げ用のワイヤロープ６３を巻回し駆動モータ６１により駆動されるプーリ６２とを具備し、ワイヤロープ６３の一端を前記仕切体１の上端に連結具６４により連結して、駆動モータ６１の回転力により下降又は上昇駆動され、前記仕切体受枠部１０が形成する開口を閉塞して、大室内空間５１を２つの室５１Ａ、５１Ｂに仕切り、又は仕切った２つの室５１Ａ、５１Ｂを大室内空間５１を元に戻すようになっている。
【００２３】
　本実施の形態の遮音構造は、前記仕切体受枠部１０における仕切体１の端縁部と重合し隙間２０を形成する部分全体に亙って隙間遮音部材３０を対向配置に巡らせるとともに、仕切体１の端縁部における前記隙間遮音部材３０と接触する対応部分全体に摩擦低減材又は圧着転移防止材として機能する二硫化モリブデン４０を塗布することにより構成している。
【００２４】
　前記隙間遮音部材３０が設けられる部分は、仕切体受枠部１０の周囲全体、すなわち、仕切体受枠部１０の下辺１０ａ、上辺１０ｂ、両側辺１０ｃ、１０ｄにおける仕切体１の端縁部と対向する各面側である。
【００２５】
　前記隙間遮音部材３０は、図５に示すように、２枚の板状のゴムシール押さえ３１、３２により、例えば棒状の発泡材３３を長さ方向に沿って覆い、一方のゴムシール押さえ３２を外面が孤を描く状態に膨出させ、一方のゴムシール押さえ３１を仕切体受枠部１０の壁面に密着し、両ゴムシール押さえ３１、３２の両縁部を図示しないネジ等により仕切体受枠部１０に取り付けている。
【００２６】
　そして、他方のゴムシール押さえ３２の膨出した外面側を、前記仕切体１を仕切体受枠部１０内に受け入れた際に、この仕切体１の端縁部に塗布した二硫化モリブデン４０の部分に密着させるようにしている。
【００２７】
　上記構成の遮音構造によれば、前記仕切体受枠部１０における仕切体１の端縁部と重合し隙間２０を形成する部分全体に亙って隙間遮音部材３０を取り付け巡らせておき、前記上下駆動部６０を動作させ、仕切体受枠部１０内に仕切体１を上方から進入させてコンサートホール等のような一つの大室内空間５１を２つの室５１Ａ、５１Ｂに仕切ることにより、隙間遮音部材３０の遮音作用によってこれら２つに仕切られた各空間（室）間の遮音を確実に行うことができる。これにより、２つに仕切られた各室５１Ａ、５１Ｂを個別の室として各々有効利用できる。
【００２８】
　また、仕切体１の端縁部における前記隙間遮音部材３０と接触する部分全体に摩擦低減材として機能する二硫化モリブデン４０を塗布しておくことにより、仕切体１による仕切り状態が長期間続いたとしても、二硫化モリブデン４０の作用で一方のゴムシール押さえ３２の一部が仕切体１側に圧着転移することがなく長期間仕切りによる不都合が生じることはない。
【００２９】
　更に、隙間遮音部材３０における板状のゴムシール押さえ３１、３２の厚さを変えて遮音性能を調整したり、前記仕切体受枠部１０における仕切体１の端縁部と重合している隙間２０の寸法に応じて、板状のゴムシール押さえ３１、３２の厚さ変更する等の対応も可能である。
【００３０】
　また、前記発泡材３３の大きさ（ボリューム）を変えることで、隙間遮音部材３０自体の前記仕切体１に対する押圧力を変更し遮音性能を調整することもできる。
【００３１】
　更に、仕切体１に二硫化モリブデン４０を塗布しておくことで、仕切体受枠部１０内に仕切体１を進入させる際の摩擦が低減され、仕切体１の変形や偏りを確実に防止できる。
【００３２】
　また、この隙間遮音部材３０は、現場加工にて容易に仕切体受枠部１０の所定の位置に取り付けることができ、低価格の遮音構造とすることができる。
　なお、前記隙間遮音部材３０における板状のゴムシール押さえ３１、３２により形成される内部空間は、その体積が一定に保たれるので、内部空気によるゴムシール押さえ３１、３２の反発力の発生はない。
【００３３】
　図６は前記隙間遮音部材３０とは別例の隙間遮音部材３０Ａを示すものであり、前記隙間遮音部材３０の構成に変えて、仕切体受枠部１０と一枚のゴムシール押さえ３２との間において例えば棒状の発泡材３３を長さ方向に沿ってゴムシール押さえ３２が膨出するように覆い、更に、押さえ板３６によりゴムシール押さえ３２の両縁部を押さえる状態で、ネジ３７によりゴムシール押さえ３２を仕切体受枠部１０に取り付けている。また、ゴムシール押さえ３２の膨出した外面側に二硫化モリブデン４０を塗布している。
　このような隙間遮音部材３０Ａの構造によっても、上述した隙間遮音部材３０と同様な作用、効果を発揮させることができる。
【００３４】
　図７は前記隙間遮音部材３０Ａの変形例である隙間遮音部材３０Ｂを示すものであり、前記隙間遮音部材３０Ａの構成にシール押さえ保持板３５を付加した構成としたものである。シール押さえ保持板３５は、仕切体受枠部１０の表面に添設されて、且つ、ゴムシール押さえ３２の外周縁を囲むように折り曲げられて形成されている。このような隙間遮音部材３０Ｂによっても、上述した隙間遮音部材３０と同様な作用、効果を発揮させることができる。
【００３５】
　図８、図９は本実施の形態の更に別の変形例である２段構成の遮音構造を示すものであり、図３に示す本実施の形態の構成に加えて、仕切体１の下辺、上辺及び両側辺に２段構成の隙間遮音部材及び二硫化モリブデン４０を設けたことが特徴である。
　すなわち、前記仕切体１の下辺側においては、仕切体１の下辺に二硫化モリブデン４０を塗布するとともに、前記受入口１０ｅの底面に隙間遮音部材３０を設け、仕切体１の下辺側の遮音を図るようにしている。
【００３６】
　また、仕切体１の上辺側においては、垂直壁５３に２段配置に隙間遮音部材３０を設け、仕切体１の上辺から突出させた上部突板１ａに二硫化モリブデン４０を塗布して、２段構成の遮音構造としている。
　更に、仕切体１の両側辺においては、図３に示す本実施の形態の構成に加えて、両側辺１０ｃ、１０ｄにおける前記凹溝よりも隙間２０側の各位置に、隙間遮音部材３０を設け、仕切体１の両側辺から突設した隙間遮音部材３０と接触する側方突板１ｃ、１ｄに二硫化モリブデン４０を塗布して、２段構成の遮音構造としている。
【００３７】
　この別の変形例の遮音構造によれば、既述した遮音構造と同様な作用を発揮するとともに、特に２段の各隙間遮音部材３０、各二硫化モリブデン４０の構造により遮音性能を一層高めることができる。この別の変形例の遮音構造において、図６、図７に示すような隙間遮音部材３０Ａ、３０Ｂを用いることはもちろん可能である。
【００３８】
　なお、上述した実施の形態では、前記隙間遮音部材３０を仕切体受枠部１０側に、二硫化モリブデン４０を仕切体１側に塗布した例を説明したが、隙間遮音部材３０を仕切体１側に、二硫化モリブデン４０を仕切体受枠部１０側に塗布した構造とすることもできる。
【００３９】
　また、上述した実施の形態では、一つの大室内空間５１を例えば２つの室５１Ａ、５１Ｂに仕切る場合を説明したが、３つ、４つの室等に仕切る等、更に複数の室に仕切る場合も本考案は適用可能である。
【産業上の利用可能性】
【００４０】
　本考案は、大小様々な建物の内部を複数の室等に区画する仕切体に幅広く適用することができ、仕切られた各空間（室）間の遮音を確実に行い、仕切られた各空間を個別の室として有効利用できる。
【図面の簡単な説明】
【００４１】
【図１】本考案の実施の形態の仕切体、仕切体受枠部を含む遮音構造（仕切体上昇）を適用する建物の一例を示す概略図である。
【図２】本考案の実施の形態の仕切体、仕切体受枠部を含む遮音構造（仕切体下降）を適用する建物の一例を示す概略図である。
【図３】本考案の実施の形態の仕切体、仕切体受枠部間の隙間遮音部材による遮音構造の横断面図である。
【図４】本考案の実施の形態の仕切体、仕切体受枠部間の隙間遮音部材による遮音構造の縦断面図である。
【図５】本考案の実施の形態の仕切体、仕切体受枠部間の隙間遮音部材による遮音構造を示す部分拡大斜視図である。
【図６】本考案の実施の形態の隙間遮音部材３０とは別例の隙間遮音部材３０Ａの拡大断面図である。
【図７】本考案の実施の形態の隙間遮音部材３０Ａの変形例である隙間遮音部材３０Ｂの拡大断面図である。
【図８】本考案の実施の形態の仕切体、仕切体受枠部間の変形例の隙間遮音部材による遮音構造を示す横断面図である。
【図９】本考案の実施の形態の仕切体、仕切体受枠部間の変形例の隙間遮音部材による遮音構造を示す縦断面図である。
【符号の説明】
【００４２】
　　１　　仕切体
　　４　　軸体
　　５　　ローラ
　１０　　仕切体受枠部
　１０ａ　下辺
　１０ｂ　上辺
　１０ｃ　側辺
　１０ｄ　側辺
　１０ｅ　受入口
　２０　　隙間
　３０　　隙間遮音部材
　３０Ａ　隙間遮音部材
　３０Ｂ　隙間遮音部材
　３１　　ゴムシール押さえ
　３２　　ゴムシール押さえ
　３３　　発泡材
　３５　　シール材保持板
　４０　　二硫化モリブデン
　５０　　建物
　５１　　大室内空間
　５１Ａ　室
　５１Ｂ　室
　５３　　垂直壁
　５３ａ　凹溝
　５４　　屋根
　５５　　天井
　６０　　上下駆動部
　６１　　駆動モータ
　６２　　プーリ
　６３　　ワイヤロープ
　６４　　取付具
【図１】
0003100593.tif 000003
【図２】
0003100593.tif 000004
【図３】
0003100593.tif 000005
【図４】
0003100593.tif 000006
【図５】
0003100593.tif 000007
【図６】
0003100593.tif 000008
【図７】
0003100593.tif 000009
【図８】
0003100593.tif 000010
【図９】
0003100593.tif 000011